(57)【要約】【課題】発信者情報通知サービスに対応したディスプレイ機能を備えた電話装置であって、有用性の低い着信履歴情報の記録や着信通知を回避する電話装置を提供する。【解決手段】本発明の電話装置は、通信部及び記録部を備えている。また、通信事業者が提供する発信者情報通知サービスで配信される発信者情報を通信部を用いて取得する発信者情報取得部を備えている。また、通信部が通信回線の確立要求を検知した場合に、確立要求に関連する情報を含む着信履歴情報を生成して記録部に記録する着信履歴記録部を備えている。また、発信者情報取得部による発信者情報の取得を実施するか否かの設定を受け付ける設定部を備えている。さらに、通信部が通信回線の確立要求を検知し、且つ発信者情報の取得を行わない設定を設定部が予め受け付けている場合に、着信履歴情報を記録部に記録しないよう着信履歴記録部を制御する記録制御部を備えている。【選択図】図１
2010206389.tif 000002
【特許請求の範囲】
【請求項１】
着信時に回線から発呼側の電話番号情報を受信する電話番号情報受信機能を有すると共に、着信履歴を記憶する着信履歴機能を有する電話装置であり、
前記電話番号情報受信機能をオン又はオフ設定することが可能であり、
前記電話番号情報受信機能をオフ設定としている状態では、着信時に発呼側からの着信があった旨の情報を前記着信履歴に記憶することを禁止することを特徴とする電話装置。
【請求項２】
着信時に回線から発呼側の電話番号情報を受信する電話番号情報受信機能を有すると共に、着信があった旨の情報を待受け画面に表示する機能を有し、
前記電話番号情報受信機能をオン又はオフ設定することが可能であり、
前記電話番号情報受信機能をオフ設定としている状態では、発呼側からの着信があった旨の情報を待受け画面に表示することを禁止することを特徴とする電話装置。
【請求項３】
通信網に接続して通信を行う通信部と、
情報の記録を行う記録部と、
通信事業者が提供する発信者情報通知サービスで配信される発信者情報を受信するよう前記通信部を制御する発信者情報取得部と、
前記通信部が通信回線の確立要求を検知した場合に、前記確立要求に関連する情報と前記発信者情報取得部が取得した前記発信者情報とを含む着信履歴情報を生成して前記記録部に記録する着信履歴記録部と、
前記発信者情報取得部による前記発信者情報の取得を実施するか否かの設定を受け付ける設定部とを備えた電話装置において、
前記通信部が通信回線の確立要求を検知し、且つ前記発信者情報の取得を前記発信者情報取得部が実施しない設定を前記設定部が受け付けている場合に、前記着信履歴情報の生成及び記録を実施しないよう前記着信履歴記録部を制御する記録制御部を備えたことを特徴とする電話装置。
【請求項４】
情報の表示を行う表示部と、
音声の出力を行う音声出力部と、
前記通信部が通信回線の確立要求を検知した場合に、前記表示部又は前記音声出力部を用いて着信通知を行う着信通知部と、
前記通信部が通信回線の確立要求を検知し、且つ前記発信者情報の取得を前記発信者情報取得部が実施しない設定を前記設定部が受け付けている場合に、前記着信通知を実施しないよう前記着信通知部を制御する通知制御部を備える、請求項３に記載の電話装置。
【請求項５】
前記記録制御部が、前記通信部が通信回線の確立要求を検知し、且つ前記発信者情報の取得を前記発信者情報取得部が実施しない設定を前記設定部が受け付けている場合に、該確立要求の発生日時を示す発生日時情報の記録を実施しないよう前記着信履歴記録部を制御する、請求項３に記載の電話装置。
【発明の詳細な説明】
【技術分野】
【０００１】
本発明は、通信事業者が提供する発信者情報通知サービスに対応した電話装置に関するものであり、特に発信者情報通知サービスにより受信した発信者情報の管理機能を備えた電話装置に関する。
【背景技術】
【０００２】
近年、通信インフラの発達により、通信に関する様々な付加サービスが普及するようになってきた。有名な付加サービスとしては、例えば着信時に発呼側の発信電話番号を通知する発信番号通知サービスや、電話装置において通信が確立できなかった場合等に一時的にメッセージを録音しておく留守番電話サービス等が存在する。
【０００３】
上記のような付加サービスの一つとして、ＮＴＴ（日本電信電話）が提供するナンバー・ディスプレイ（登録商標）サービスやネーム・ディスプレイ（登録商標）サービス等の発信者情報通知サービスが存在する。ナンバー・ディスプレイサービスは、着信側の通信装置において、発信者の電話番号を表示するサービスである。またネーム・ディスプレイサービスは、着信側の通信装置において、発信者の名称を表示するサービスである。なお発信者の名称としては例えば、電話帳掲載名、電話契約者名、電話会社の請求書送付先等の名称が用いられる。
【０００４】
上記のような発信者情報通知サービスによれば、発信者情報が予め着信側の電話装置に登録されていない場合でも、着信側で発信者情報を通知することができる。このため着信を受けた人間（以下、「着信側ユーザ」という）は、例えば面識のない第三者から電話がかかってきた場合でも、発信を行った人間（以下、「発信側ユーザ」という）に関する情報を、応答前に確認することができる。
【０００５】
なお、発信者情報通知サービスを利用する場合、発信側ユーザは所定の通信事業者が提供する契約者回線から発信し、且つ発信者情報通知サービスの利用に必要な機能（以下、「ディスプレイ機能」という）を備えた電話装置を使用している必要がある。また受信側ユーザも、ディスプレイ機能を備えた電話装置を使用している必要がある。
【０００６】
上記のような発信者情報通知サービスに関連した発明として、特許文献１には、発信者情報の受信エラー時に、エラー回数をカウントすべき事象であるか否かを判定し、判定結果に基づいてエラーカウントを行う電話装置が開示されている。これにより、ディスプレイ機能に含まれる自動学習機能において、余計なエラーカウントが発生するのを防止し、自動学習機能の誤設定を回避している。
【先行技術文献】
【特許文献】
【０００７】
【特許文献１】特開２００７−２００８２号公報
【発明の概要】
【発明が解決しようとする課題】
【０００８】
しかしながら特許文献１に示されるような従来の電話装置は、ディスプレイ機能の動作設定にかかわらず、発信者情報を用いた着信履歴情報の記録や着信通知を行っていた。このため、ディスプレイ機能の動作設定がＯＦＦである状態、つまり発信者情報の受信を停止している状態でも、空データの発信者情報を用いて、着信履歴情報の記録や着信通知を行っていた。
【０００９】
しかしながら、このような空データを用いた着信履歴情報の記録や着信通知は、着信側ユーザにとって有用性が低い場合が多い。むしろ、電話装置が備えるメモリ等の記録媒体の記録容量を、不必要に消費してしまう可能性の方が高い。
【００１０】
本発明は、上記の問題を解決するためになされたものであって、発信者情報通知サービスに対応したディスプレイ機能を備えた電話装置であって、有用性の低い着信履歴情報の記録や着信通知を回避することを目的とした電話装置を提供することにある。
【課題を解決するための手段】
【００１１】
上記目的を達成するために本発明の電話装置は、着信時に回線から発呼側の電話番号情報を受信する電話番号情報受信機能を有すると共に、着信履歴を記憶する着信履歴機能を有する電話装置であり、前記電話番号情報受信機能をオン又はオフ設定することが可能であり、前記電話番号情報受信機能をオフ設定としている状態では、着信時に発呼側からの着信があった旨の情報を前記着信履歴に記憶することを禁止することを特徴とする。
このような構成とすることにより、例えばナンバーディスプレイ機能のような電話番号受信機能をオフと設定している状態では、相手先が公衆電話や電話番号の先頭に１８４を付加するような電話番号を通知できない状態で発呼をかけてきた場合に、着信履歴に無駄な履歴情報を記憶することを回避することができる。尚、付言すると、番号がわからない履歴情報を着信履歴に記憶しても、ユーザはあとからその相手先へ発呼を行うことができない（電話番号が分からない為）、このような場合には着信履歴に残しても無駄となる。
また、着信時に回線から発呼側の電話番号情報を受信する電話番号情報受信機能を有すると共に、着信があった旨の情報を待受け画面に表示する機能を有し、前記電話番号情報受信機能をオン又はオフ設定することが可能であり、前記電話番号情報受信機能をオフ設定としている状態では、発呼側からの着信があった旨の情報を待受け画面に表示することを禁止することを特徴とする。
このような構成とすることにより、待ち受け時にあとから電話をかけることができない相手先から着信があった旨を待ちうけ時に表示するといった無駄を省くことができる。
【００１２】
また、通信網に接続して通信を行う通信部と、情報の記録を行う記録部と、通信事業者が提供する発信者情報通知サービスで配信される発信者情報を受信するよう前記通信部を制御する発信者情報取得部と、前記通信部が通信回線の確立要求を検知した場合に、前記確立要求に関連する情報と前記発信者情報取得部が取得した前記発信者情報とを含む着信履歴情報を生成して前記記録部に記録する着信履歴記録部と、前記発信者情報取得部による前記発信者情報の取得を実施するか否かの設定を受け付ける設定部とを備えた電話装置において、前記通信部が通信回線の確立要求を検知し、且つ前記発信者情報の取得を前記発信者情報取得部が実施しない設定を前記設定部が受け付けている場合に、前記着信履歴情報の生成及び記録を実施しないよう前記着信履歴記録部を制御する記録制御部を備えたことを特徴としている。
【００１３】
この構成によると、本発明の電話装置は、通信部及び記録部を備えている。また、通信事業者が提供する発信者情報通知サービスで配信される発信者情報を通信部を用いて取得する発信者情報取得部を備えている。また、通信部が通信回線の確立要求、例えば通話リクエスト等を検知した場合に、確立要求に関連する情報、例えば着信日時情報等を含む着信履歴情報を生成して記録部に記録する着信履歴記録部を備えている。また、発信者情報取得部による発信者情報の取得を実施するか否かの設定を受け付ける設定部を備えている。さらに、通信部が通信回線の確立要求を検知し、且つ発信者情報の取得を行わない設定を設定部が予め受け付けている場合に、着信履歴情報を記録部に記録しないよう着信履歴記録部を制御する記録制御部を備えている。このため、発信者情報を受信しない設定で電話装置が動作している場合は、着信履歴情報が生成されないため、メモリに記録する情報量を削減することができる。
【００１４】
また上記目的を達成するために本発明の電話装置は、情報の表示を行う表示部と、音声の出力を行う音声出力部と、前記通信部が通信回線の確立要求を検知した場合に、前記表示部又は前記音声出力部を用いて着信通知を行う着信通知部と、前記通信部が通信回線の確立要求を検知し、且つ前記発信者情報の取得を前記発信者情報取得部が実施しない設定を前記設定部が受け付けている場合に、前記着信通知を実施しないよう前記着信通知部を制御する通知制御部を備える。
【００１５】
この構成によると、本発明の電話装置は、情報の表示を行う表示部、及び音声の出力を行う音声出力部を備えている。また、着信時に表示部又は音声出力部を用いて着信通知を行う着信通知部を備えている。また、通信部が通信回線の確立要求を検知し、且つ発信者情報の取得を行わない設定を設定部が予め受け付けている場合に、着信通知を行わないよう着信通知部を制御する通知制御部を備えている。このため、発信者情報を破棄する設定で電話装置が動作している場合は、着信通知が実施されないため、有用性の低い着信通知の発生回数を削減することができる。
【００１６】
また上記目的を達成するために本発明の電話装置は、前記記録制御部が、前記通信部が通信回線の確立要求を検知し、且つ前記発信者情報の取得を前記発信者情報取得部が実施しない設定を前記設定部が受け付けている場合に、該確立要求の発生日時を示す発生日時情報の記録を実施しないよう前記着信履歴記録部を制御する。
【００１７】
この構成によると、記録制御部は、通信部が通信回線の確立要求を検知し、且つ発信者情報の取得を行わない設定を設定部が予め受け付けている場合に、確立要求の発生日時を示す発生日時情報を記録部に記録しないよう、着信履歴記録部を制御する。このため、発信者情報を破棄する設定で電話装置が動作している場合は着信日時が記録されないため、メモリに記録する情報量を削減することができる。
【発明の効果】
【００１８】
本発明の構成によれば、有用性の低い着信履歴情報の生成及び記録を行わないことにより、有限である記録部の記録容量を効率的に活用することができる。また、有用性の低い着信通知を行わないことにより、ユーザの利便性を向上させることができる。
【図面の簡単な説明】
【００１９】
【図１】本発明の一実施形態に係る電話装置の構成を示すブロック図である。
【図２】本発明の一実施形態に係る電話システムの構成を示すブロック図である。
【図３】本発明の一実施形態に係る着信制御処理を示すフロー図である。
【図４】本発明の一実施形態に係る待ち受け画面を示す画面図である。
【図５】本発明の一実施形態に係る着信通知画面を示す画面図である。
【図６】本発明の一実施形態に係る着信履歴表示画面を示す画面図である。
【発明を実施するための形態】
【００２０】
以下に本発明の一実施形態を、図面を参照しながら説明する。なお、ここで示す実施形態は一例であり、本発明はここに示す実施形態に限定されるものではない。
〈１．電話システムの構成について〉
図２は、本発明の一実施形態に係るＩＰ電話１（＝電話装置）が含まれる電話システムの構成を示すブロック図である。本システムは少なくとも、ＩＰ電話１、有線ＬＡＮ４１（＝通信網）、ＰＳＴＮ網５１、加入者電話機５２、ＳＩＰサーバ６１、ＩＰ電話ルータ６２、ゲートウェイ６３、及びＩＰ電話網７１を含むように構成されている。
【００２１】
本実施形態のＩＰ電話１は、有線ＬＡＮ４１に接続されることにより、電話網を介した音声通信が可能な電話装置である。有線ＬＡＮ４１は、ＩＰ電話１、ＩＰ電話ルータ６２、及びゲートウェイ６３等が有線接続されたローカルのネットワークである。前記の各装置は有線ＬＡＮ４１に接続されることにより、相互に通信が可能となっている。なお、有線ＬＡＮ４１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００２２】
ＳＩＰサーバ６１は、有線ＬＡＮ４１におけるＩＰ電話通信の制御を、ＳＩＰを用いて行う通信制御装置である。ＳＩＰは、転送機能や発信者番号通知機能等を備えた通話制御プロトコルの一種であり、同系統のプロトコルと比較して接続にかかる時間が短いという特徴を持つ。ＳＩＰサーバは、ＩＰ電話１等のＳＩＰクライアントがアドレスを登録するレジスタサーバ、クライアントに代わってアドレスを検索するプロキシサーバ、クライアントから受け取った接続要求を別のアドレスに転送するリダイレクトサーバ等の機能を備えている。
【００２３】
ＩＰ電話ルータ６２は、複数のＩＰネットワークを相互接続するためのネットワーク中継装置である。具体的には、ＯＳＩ（Ｏｐｅｎ  Ｓｙｓｔｅｍｓ  Ｉｎｔｅｒｃｏｎｎｅｃｔｉｏｎ）参照モデルでいうネットワーク層（第３層）やトランスポート層（第４層）の一部のプロトコルを解析して転送を行う。本実施形態では、ＩＰ電話ルータ６２は有線ＬＡＮ４１とＩＰ電話網７１との二つのＩＰネットワークを相互に接続する役割を持つ。
【００２４】
ゲートウェイ６３は、プロトコル体系が異なるネットワーク間を相互接続するためのプロトコル変換器である。ゲートウェイ６３は例えば、有線ＬＡＮ４１とＰＳＴＮ網５１とを接続し、ＳＩＰ等のシグナリングプロトコルを用いてシグナル変換を行うことにより、両ネットワーク間での通信を可能とする。
【００２５】
ＩＰ電話網７１は、電話網の一部もしくは全てにＶｏＩＰ(Voice over Internet Protocol)技術を利用した通信網である。用いる通信回線としてはＦＴＴＨ(Fiber To The Home)やＡＤＳＬ(Asymmetric Digital Subscriber Line)等の、いわゆるブロードバンド回線が利用される。なおＶｏＩＰとは、音声を各種符号化方式で圧縮してパケットに変換し、ＩＰネットワークでリアルタイム伝送する技術である。これによりＩＰ電話網７１は音声通話サービスの他、画像の送受信を行うテレビ電話サービス等も提供可能である。
〈２．ＩＰ電話の内部構成について〉
図１は、本発明の一実施形態に係るＩＰ電話１の内部を示すブロック図である。ＩＰ電話１は、ディスプレイ機能を備えた電話装置である。ＩＰ電話１は少なくとも、制御部１１、メモリ１２、表示部１３、入力部１４、通信部１５、フラッシュメモリ１６（＝記録部）、信号処理部１７、スピーカ１８（＝音声出力部）、及びマイク１９を含むように構成されている。
【００２６】
制御部１１は、ＩＰ電話１の各部を制御することにより通信制御処理（音声データの送受信、発信の実施、或いは着信の検知等）を統括制御するための中央処理装置である。また制御部１１は、制御部１１が備える演算処理装置上でプログラムを実行することにより実現される機能部として、発信者情報取得部１１ａ、設定部１１ｂ、着信履歴記録部１１ｃ、記録制御部１１ｄ、着信通知部１１ｅ、及び通知制御部１１ｆを備えている。
【００２７】
発信者情報取得部１１ａは、通信事業者が提供するディスプレイサービス（＝発信者情報通知サービス）で配信される発信者情報を通信部１５が受信した場合に、発信者情報を取得して着信履歴記録部１１ｃに与える。なお発信者情報には例えば、発信者電話番号、発信者の電話帳掲載名、電話契約者名、電話会社の請求書送付先等が含まれる。
【００２８】
設定部１１ｂは、ディスプレイ機能のＯＮ／ＯＦＦに関する設定を、入力部１４により受け付ける。つまり着信時に発信者情報取得部１１ａが発信者情報の取得を実施するか否かに関する指定を受け付ける。受け付けた設定内容を示す設定情報は、フラッシュメモリ１６等に記録される。ディスプレイ機能がＯＦＦである場合、つまり取得を実施しないことが指定されている場合、発信者情報取得部１１ａは発信者情報を受信したとしてもこれを破棄する。
【００２９】
着信履歴記録部１１ｃは、通信部１５が通信回線の確立要求を検知した場合に、確立要求に関連する各種情報を含む着信履歴情報を生成し、フラッシュメモリ１６に記録する。確立要求に関連する情報としては例えば、発信元電話番号情報、着信時刻情報（＝発生日時情報）、又は発信者情報取得部１１ａより与えられた発信者情報等が存在する。
【００３０】
記録制御部１１ｄは、通信部１５が通信回線の確立要求を検知した場合に、発信者情報取得部１１ａが発信者情報を取得したか否かを判定する。そして発信者情報を受信していない場合に、着信履歴情報の生成及び記録を行わないよう、着信履歴記録部１１ｃに対して指示を行う。なお発信者情報取得部１１ａが発信者情報を取得していない状況とは、例えば設定部１１ｂが受け付けた設定が、発信者情報取得部１１ａに対して発信者情報の未実施を指示する内容である場合や、着信時の受信データに着信履歴情報が含まれていない場合等を指すものとする。
【００３１】
着信通知部１１ｅは、通信部１５が通信回線の確立要求を検知した場合に、表示部１３又はスピーカ１８等を用いて着信通知を行う。例えば、図５に示す着信通知画面９１を表示部１３に表示する。又は、スピーカ１８より着信通知音を出力する。また入力部１４が所定操作を受け付けた場合に、図６に示す着信履歴画面９２を表示部１３に表示する。なお着信履歴画面９２を表示するために用いる着信履歴情報は、着信履歴記録部１１ｃが予め生成してフラッシュメモリ１６に記録しているものを使用する。
【００３２】
通知制御部１１ｆは、通信部１５が通信回線の確立要求を検知した場合に、発信者情報取得部１１ａが発信者情報を取得したか否かを判定する。そして発信者情報を取得していない場合に、着信通知を行わないよう、着信通知部１１ｅに対して指示を行う。
【００３３】
メモリ１２は、ＩＰ電話１が保持する各種データを一時的に記録する媒体である。メモリ１２は制御部１１によって各種通信制御処理が行われる際の処理データや、ユーザから受けた指示命令等を一時的に記録しておくためのバッファメモリとしての役割を持つ。
【００３４】
表示部１３は、ＩＰ電話１が保持する各種情報、例えば着信時における発信側電話番号等をユーザに対して表示する。表示部１３は例えば、液晶パネル等の小型で消費電力の少ない表示装置を用いる。入力部１４は、ユーザがＩＰ電話１を用いて通信を行うための各種操作、例えば通話を行う相手の電話番号の入力等を行うためのものである。入力部１４は通常、数字ボタンやリダイヤルボタン等の複数の操作ボタンから構成されている。
【００３５】
通信部１５は、ＩＰ電話１を電話回線に接続するための通信インタフェースである。通信部１５は、ネットワークに接続されたＳＩＰサーバ６１と通信を行うことにより、音声通話の着信処理や発信処理等を実施することが可能である。フラッシュメモリ１６は、着信履歴記録部１１ｃが生成する着信履歴情報や、通信相手毎の電話番号やメールアドレスを示した電話帳情報等を記録する記録媒体である。
【００３６】
信号処理部１７は、通信部１５により入力された音声データの復号処理を行う。復号により得られた音声信号はスピーカ１８に与えられる。また信号処理部１７は、マイク１９より入力された音声信号に所定の符号化処理を施して音声データ／ＦＡＸデータを作成し、通信部１５に与える。これにより音声データは、ＰＳＴＮ網５１を介して接続される外部の通信装置等に送信される。
〈３．表示画面について〉
ここで、本発明の一実施形態に係る表示部１３が表示する表示画面の一例を、図４〜図６の画面図を用いて説明する。
【００３７】
図４は、待機状態、つまり着信が発生していない状態において表示部１３が表示する待機画面９０を示した画面図である。待機画面９０は通常、計時部（不図示）が計時する現在時刻を表示する。あわせて、日時に関する情報を表示する。例えば図４の例では、曜日を表す文字列「ＳＡＴ．」（＝土曜日）が表示されている。
【００３８】
待機状態において着信が検知されると、図５に示す着信通知画面９１が表示部１３に表示される。着信通知画面９１は、着信を通知する文字列画像等を含んでいる。ただし、後述する着信制御処理（図３）において着信通知が禁止されている場合は、着信通知画面９１の表示は行われない。
【００３９】
着信通知画面９１等において入力部１４が所定操作の入力を検知すると、図６に示す着信履歴表示画面９２が表示部１３に表示される。着信履歴表示画面９２には、少なくとも着信日及び着信時間を示す文字列画像が表示される。またこれに加えて、通信相手に関する情報、例えば発信元電話番号、又は発信元電話番号に関連づけて電話帳情報に記録されている通信先名称等を表示する形態でもよい。
〈４．着信制御処理について〉
ここで、本発明の一実施形態に係るＩＰ電話１の着信制御処理を、図３のフロー図を用いながら説明する。
【００４０】
図３に示す処理フローは、ＩＰ電話１の電源が起動され、且つ通信部１５による有線ＬＡＮ４１を介した着信、つまり通信回線の確立要求を検知可能である状態において、任意のタイミングで開始可能である。
【００４１】
本処理の開始後、発信者情報取得部１１ａはステップＳ１１０において、通信部１５による着信を検知したか否かを判定する。着信を検知していない場合、再びステップＳ１１０に移行し、継続して着信の監視を行う。着信を検知した場合、発信者情報取得部１１ａはステップＳ１２０において、フラッシュメモリ１６に記録されている設定情報、つまり設定部１１ｂが予めユーザより受け付けている設定を示す情報を読み出して参照する。
【００４２】
次に発信者情報取得部１１ａはステップＳ１３０において、設定部１１ｂが予め記録している設定情報の内容に基づき、処理の分岐を行う。設定情報において発信者情報の取得処理が未実施に設定されている場合、例えばナンバー・ディスプレイ機能がＯＦＦに設定されている場合、後述するステップＳ２１０に移行する。発信者情報の取得処理が実施に設定されている場合、発信者情報取得部１１ａはステップＳ１４０において、発信者情報の取得を行う。
【００４３】
次に発信者情報取得部１１ａは発信者情報の取得を試行し、その結果に基づいてステップＳ１５０において処理の分岐を行う。発信者情報の取得に失敗した場合、後述するステップＳ２１０に移行する。発信者情報の取得に成功した場合、着信履歴記録部１１ｃはステップＳ１６０において、着信履歴情報の生成及び記録を行う。
【００４４】
次に通知部１１ｅはステップＳ１７０において、表示部１３又はスピーカ１８を用いた着信通知を行う。これにより、図５に示す着信通知画面９１が表示される。着信通知が完了すると、再びステップＳ１１０に移行する。
【００４５】
ステップＳ１３０に戻って説明を行うと、ステップＳ１３０において発信者情報の取得処理が未実施に設定されていると判定された場合、記録制御部１１ｄはステップＳ２１０において、着信履歴記録部１１ｃに対して着信履歴情報の生成及び記録を禁止する。これを受けた着信履歴記録部１１ｃは、着信に関連する各種情報、例えば受信した発信者情報や、着信を検知した時刻を示す着信時刻情報等を破棄し、フラッシュメモリ１６に記録しない。
【００４６】
次に通知制御部１１ｆはステップＳ２２０において、着信通知部１１ｅに対して着信通知の実施を禁止する。これを受けた着信通知部１１ｅは、着信通知に関連する各種処理を行わない。従って図５に示す着信通知画面９１は表示されず、またスピーカ１８から着信通知音が出力されることもない。従って表示部１３は、図４に示す待機画面９０を表示した状態を維持することとなる。
【００４７】
上述のステップＳ２２０が完了すると、再びステップＳ１１０に移行する。なお以上の処理は、ＩＰ電話１が稼働状態である限り、継続して行われる。従って処理が終了するのは、例えばユーザによりＩＰ電話１の電源が停止された場合等である。
【００４８】
以上に説明した本実施形態によれば、ディスプレイ機能がＯＦＦである場合に、従来は発信者情報として空データを用いて行っていた着信履歴情報の記録や着信通知を行わない。このように、有用性の低い着信履歴情報の生成及び記録を行わないことにより、フラッシュメモリ１６の記録容量を効率的に活用することができる。また、有用性の低い着信通知を行わないことにより、ユーザの利便性を向上させることができる。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００４９】
従って本発明は、以下の形態にも適用可能である。
【００５０】
（Ａ）上記実施形態では、着信制御処理に関わる機能部及びデータがＩＰ電話１の内部に備わっている構成を例として説明したが、これらの一部が電話網やＬＡＮ等のネットワークを介して接続された外部装置により実現される形態であってもよい。例えば、設定部１１ｂが受け付けた設定を示す設定情報を、ネットワーク上に存在する情報処理装置（ネットワークサーバ等）に記録されている形態であってもよい。これにより例えば、ユーザはＩＰ電話１が参照する設定情報を、一括して変更することが可能である。従って、一台毎に設定情報を変更する手間を省くことができる。
【００５１】
（Ｂ）上記の実施形態では、本発明の着信制御機能を備えた電話装置としてＩＰ電話１を例にあげているが、電話通信網に接続して通信可能な電話装置であれば、これ以外の装置において本発明を実施する形態でもよい。例えば、親子電話、インターネット電話、ファクシミリ装置、自動車電話、ＰＤＡ（Personal Digital Assistant）やノートパソコン上で実行される通信アプリケーション等において実施する形態であってもよい。
【００５２】
（Ｃ）上記の実施形態では、本発明の着信制御機能に関わるＩＰ電話１の各種機能部が、マイクロプロセッサ等の演算処理装置上でプログラムを実行することにより実現されているが、各種機能部が複数の回路により実現される形態でもよい。
【００５３】
（Ｄ）上記の実施形態では、ディスプレイ機能がＯＮであり、且つステップＳ１５０において発信者情報の取得に失敗した場合に着信履歴情報を記録せず、また着信通知も行っていないが、発信者情報として空データを用いて着信履歴情報を生成して記録するとともに、着信通知を行う形態でもよい。
【符号の説明】
【００５４】
１      ＩＰ電話（電話装置）
１１ａ  発信者情報取得部
１１ｂ  設定部
１１ｃ  着信履歴記録部
１１ｄ  記録制御部
１１ｅ  着信通知部
１１ｆ  通知制御部
１２    メモリ
１３    表示部
１４    入力部
１５    通信部
１６    フラッシュメモリ（記録部）
１８    スピーカ（音声出力部）
【図１】
2010206389.tif 000003
【図２】
2010206389.tif 000004
【図３】
2010206389.tif 000005
【図４】
2010206389.tif 000006
【図５】
2010206389.tif 000007
【図６】
2010206389.tif 000008